(57)【特許請求の範囲】
【請求項１】
足裏により踏まれるべき底部を有する履物であって、
足の踵により踏まれるべき前記底部の所定部分近傍と、足の指により踏まれるべき前記底部の所定部分近傍との一方または双方を含む所定部分にのみ、足裏から放出される水分により保湿可能な水分非透過性を有しかつ体温により保温可能な断熱性を有する部材が設けられることを特徴とする、履物。
【請求項２】
前記部材は、ラバー材の表面にチタン合金がコーティングされて形成される層構造を有することを特徴とする、請求項１に記載の履物。
【請求項３】
前記部材は、所定の厚みを有しており、足裏で踏まれることにより足裏の所定部分近傍を被うべき凹部を形成する程度の柔軟性を有することを特徴とする、請求項１または請求項２に記載の履物。
【請求項４】
前記履物はサンダルであることを特徴とする、請求項１から請求項３までのいずれか１項に記載の履物。
【請求項５】
足裏により踏まれるべき上面を有する中敷きであって、
足の踵により踏まれるべき前記上面の所定部分近傍と、足の指により踏まれるべき前記上面の所定部分近傍との一方または双方を含む所定部分にのみ、足裏から放出される水分により保湿可能な水分非透過性を有しかつ体温により保温可能な断熱性を有する部材が設けられることを特徴とする、中敷き。
【請求項６】
前記部材は、ラバー材の表面にチタン合金がコーティングされて形成される層構造を有することを特徴とする、請求項５に記載の中敷き。
【請求項７】
前記部材は、所定の厚みを有しており、足裏で踏まれることにより足裏の所定部分近傍を被うべき凹部を形成する程度の柔軟性を有することを特徴とする、請求項５または請求項６に記載の中敷き。
【発明の詳細な説明】
【０００１】
【発明の属する技術分野】
本発明は、保湿可能かつ保温可能な材料を底部に含むサンダルなどの履物および中敷きに関する。
【０００２】
【従来の技術】
従来より、履物および中敷きでは除湿性や通気性が重視されることが多い。そのため、保温性を考慮した履物および中敷きは見られるものの、保湿性を考慮した履物および中敷きは一般的にはほとんど見られない。しかし、近年、足の踵や指裏などの角質が乾燥することにより不健康な状態となることが懸念されており、足裏の保湿性を考慮することが不必要であるとは必ずしも言えない。
【０００３】
この点、特開平１１−２９９５０２号公報では、足裏前半部付近に接する履物類の底面を低くして凹部を設け、懐炉などの保温、保湿材等を安定して装着出来る構造を有する履物類が開示されている。
【０００４】
【特許文献１】
特開平１１−２９９５０２号公報
【０００５】
【発明が解決しようとする課題】
しかし、上記公報に開示される履物は、履物自体が保湿可能かつ保温可能な材料を含まないため、履物の底部にわざわざ保温、保湿材を充填しなければならず不便である。
【０００６】
そこで本発明では、保湿可能かつ保温可能な材料を底部に含む構成を有するサンダルなどの履物および中敷きを提供することを目的とする。
【０００７】
【課題を解決するための手段および発明の効果】
第１の発明は、足裏により踏まれるべき底部を有する履物であって、
足の踵により踏まれるべき前記底部の所定部分近傍と、足の指により踏まれるべき前記底部の所定部分近傍との一方または双方を含む所定部分にのみ、足裏から放出される水分により保湿可能な水分非透過性を有しかつ体温により保温可能な断熱性を有する部材が設けられることを特徴とする。
【０００８】
このような第１の発明によれば、保湿可能かつ保温可能な部材が足踵近傍と足指近傍とに対応する底部の一方または双方を含む所定部分にのみ設けられることにより、履物を履く人の足裏の上記部分が乾燥して角質化することがなくまた保温効果により柔らかくなるため、当該部分の皮膚が健康となる健康増進機能が得られると共に、足裏全体が発汗しないため履き心地や快適感が増大する。
【０００９】
第２の発明は、第１の発明において、
前記部材は、ラバー材の表面にチタン合金がコーティングされて形成される層構造を有することを特徴とする。
【００１０】
このような第２の発明によれば、ラバー材の表面にチタン合金がコーティングされる構成により、高い保温性と保湿性とを得ることができ、さらにチタン合金が有する帯電防止機能や生体電気の流れを良くする機能により、履物は帯電が防止されると共に、生体電気の流れをよくする健康増進機能も有することになる。また、チタン合金膜は遮光性を有するため、ラバー材の色合いに影響されることなく鮮やかな着色を施すことができる。そのため、履物（の底部）をよりファッショナブルに着色することができる。
【００１１】
第３の発明は、第１または第２の発明において、
前記部材は、所定の厚みを有しており、足裏で踏まれることにより足裏の所定部分近傍を被うべき凹部を形成する程度の柔軟性を有することを特徴とする。
【００１２】
このような第３の発明によれば、部材が所定の厚さを有する場合には、足裏で踏まれることにより足裏の所定部分近傍を被うべき凹部が形成されるため、足裏のみならず足裏周縁近傍の足側面に対しても保温効果および保湿効果が発揮される。このことにより当該部分の皮膚の角質化が防止され、当該皮膚が健康となる健康増進機能が得られる。また、上記の厚さを有する場合には、例えば数ヶ月間にわたり何度も踏みつけられる状態が継続すると、塑性変形することにより履物を履く人の足の形に近い凹部が形成される。このことにより、履物は当該足にフィットする状態になるため、フィット感または履き心地が向上する。
【００１３】
第４の発明は、第１から第３までのいずれかの発明において、
前記履物はサンダルであることを特徴とする。
【００１４】
このような第４の発明によれば、サンダルは、ほぼ密閉された空間に足を入れる靴などに比べ極めて通気性が良好であるため、保温効果および保湿効果を有することにより足裏を暖めすぎることがある上記部材であっても、サンダルが有する通気性により暖められすぎることはなく、さらに履き心地や快適感が増大する。
【００１５】
第５の発明は、足裏により踏まれるべき上面を有する中敷きであって、
前記上面の全部または所定部分には、足裏から放出される水分により保湿可能な水分非透過性を有しかつ体温により保温可能な断熱性を有する部材が設けられることを特徴とする。
【００１６】
第６の発明は、第５の発明において、
前記部材は、ラバー材の表面にチタン合金がコーティングされて形成される層構造を有することを特徴とする。
【００１７】
第７の発明は、第５または第６の発明において、
前記部材は、所定の厚みを有しており、足裏で踏まれることにより足裏の所定部分近傍を被うべき凹部を形成する程度の柔軟性を有することを特徴とする。
【００１８】
【発明の実施の形態】
以下、本発明の一実施形態につき添付図面を参照して説明する。
＜１．サンダルの全体構成＞
図１は本発明の一実施形態に係るサンダル（左足用）の構成を示す斜視図である。このサンダル１０は、足裏により踏まれるべき底部２と、当該底部２の上側に敷設されて足甲と接触すべき甲被部３と、上記底部２の足裏により踏まれるべき面の反対側の面に付着固定されて接地する基底部４とを備える。この甲被部３の側面下端部は、底部２と基底部４との周側左右端部近傍で挟み込まれて付着固定されている。
【００１９】
上記底部２は、足裏に接触すべき内装シート２１と、厚さが数ミリ程度のタイタニューム・アルファ・シート２２（「タイタニュームアルファ」は山本化学工業株式会社の商標である）と、図示されないスポンジおよびパッキンとからなる。内装シート２１はビニール、布地、または合成皮革等の柔らかい生地であり、履き心地を向上させると共に足裏との摩擦による摩耗に対する耐久性を有する。この内装シート２１は、足の踵が接触する部分近傍に開口部を有しており、この開口部分の下側には当該開口部分よりやや大きなタイタニューム・アルファ・シート２２が上記開口部分周縁で縫着または接着されている。この内装シート２１およびタイタニューム・アルファ・シート２２の下面には衝撃を吸収することにより履き心地を向上させるスポンジが接着されており、このスポンジはパッキンを挟んで基底部４と接着されている。なお、この構成は例示であって、タイタニューム・アルファ・シート２２が足裏に接触可能に配置されていれば、サンダル１０の構成または製造方法は特に限定されない。
【００２０】
＜２．タイタニューム・アルファ・シートの構成および作用＞
上記タイタニューム・アルファ・シート２２は、５層構造を有している。図２は、タイタニューム・アルファ・シート２２の層構造を示す模式的な断面図である。このタイタニューム・アルファ・シート２２は、足裏が接触すべき上側ジャージ２２１から下側ジャージ２２５までの５層から成る。この上側ジャージ２２１および下側ジャージ２２５は摩耗等に対する耐久性を有する布地などから成り、内側の層を保護するためにラミネートされている。上側チタン合金膜２２２および下側チタン合金膜２２４は、約７０ミクロンの非常に薄いフィルム状のチタン合金膜であり、空気や水蒸気等の気体（および液体）の通過を妨げる水分非透過性による保湿性と共に、体温が逃げないように保つ保温性を有している。これらの上側チタン合金膜２２２および下側チタン合金膜２２４は、ラバー２２３の両面に対して特殊な方式によりコーティングされている。ラバー２２３は、完全独立気泡のクロロプレン・ラバーであり、断熱性を有すると共に皮膚に対する快適な接触感（ここでは履き心地）を有している。なお、このラバー２２３には、ネオプレーンラバーや耐久性の高いデュラテック・ラバーが用いられてもよい。また、上側ジャージ２２１は、内装シート２１と共通していてもよい。さらに、上側ジャージ２２１に代えてまたはその内側にホットカプセルが用いられてもよい。このホットカプセルは高い密度で細かい起毛を施す機密起毛加工により形成される起毛の内に含まれる空気粒（カプセル）からなる空気層を有しており、この空気層によって保温効果が発揮される。
【００２１】
このように、タイタニューム・アルファ・シート２２は、ラバー２２３の両面にチタン合金膜２２２，２２４がコーティングされることにより、高い保温性と保湿性とを有している。また、タイタニューム・アルファ・シート２２に含まれるチタン合金が有する帯電防止機能および生体電気の流れを良くする機能により、サンダル１０は帯電が防止されると共に、生体電気の流れをよくする健康増進機能も有することになる。また、遮光性を有するチタン合金膜の２２２，２２４により、ラバー２２３のクロロプレン・ラバー固有の色合いに影響されることなく上側ジャージ２２１に鮮やかな着色を施すことが可能となるため、サンダル１０（の底部２）をよりファッショナブルに着色することが可能となる。
【００２２】
図３は、本サンダルの底部を例示する平面図である。図３に示されるように、タイタニューム・アルファ・シート２２は、足の踵裏直近部と、土踏まず近傍を除く踵に近い足裏とが接触すべき部分に内装シート２１の開口部から露出している。このように、タイタニューム・アルファ・シート２２が、足の踵裏直近部および土踏まず近傍を除く踵に近い足裏（以下、「踵裏近傍」という）とに接触するように配置されているのは、これらの足裏の部分が乾燥等により角質化しやすく、皮膚状態が不健康（いわゆる「がさがさ」）になりやすいためである。すなわち、タイタニューム・アルファ・シート２２は上述のように優れた保温性および保湿性を有しており、このタイタニューム・アルファ・シート２２に接触する足裏の部分は、タイタニューム・アルファ・シート２２の保温効果により発汗し、かつ発汗により発生する水分がタイタニューム・アルファ・シート２２の保湿効果により足裏近傍に滞留し、例えばタイタニューム・アルファ・シート２２の下部のスポンジ層などへ逃げることがない。そのため、上記足裏部分が乾燥して角質化することがなくまた保温効果により柔らかくなるため、当該部分の皮膚が健康となる健康増進機能が得られる。
【００２３】
また、足裏部分のうちで最も角質化しやすいのは、踵裏部分である。よって、土踏まず近傍を除く踵に近い足裏とが接触する部分のタイタニューム・アルファ・シート２２は省略されてもよい。図４は踵裏直近部に対応する部分のみにタイタニューム・アルファ・シートが設けられた本サンダルの底部を示す別例としての平面図である。
【００２４】
さらに、足裏部分のうちでも指裏近傍は角質化しやすいため、当該部分にタイタニューム・アルファ・シート２２が設けられてもよい。図５は当該部分にタイタニューム・アルファ・シートが設けられた本サンダルの底部を示す別例としての平面図である。なお、図では指全体に対応する部分に、タイタニューム・アルファ・シート２２が設けられるが、特に親指の裏が角質化しやすいため、親指に対応する部分近傍にタイタニューム・アルファ・シート２２が設けられる構成であってもよい。
【００２５】
さらにまた、足裏が接触する部分全てにタイタニューム・アルファ・シート２２が設けられてもよいし、底部２の周縁よりやや内側の全面または底部２に代えてアルファ・シート２２が設けられてもよい。また、足甲が接触する甲被部３の裏面の全部または一部にタイタニューム・アルファ・シート２２が設けられてもよい。このようにサンダル１０においてタイタニューム・アルファ・シート２２が底部２全面（または甲被部３）に設けられる場合、サンダル１０の通気性が良好であるため、足が暖まりすぎることはほとんどない。しかし、靴などにおいてタイタニューム・アルファ・シート２２が底部２全面に設けられる場合には、ほぼ閉鎖された空間内に入れられた足が暖まりすぎ、場合により不快感が生じる可能性もある。その点を考慮すると、踵裏直近部を含む踵裏近傍にのみアルファ・シート２２が設けられた靴類は、足裏の上記部分が乾燥して角質化することなく健康増進機能が得られると共に、足裏全体が発汗しないため履き心地や快適感が増大するという効果を有する。また、このことは、通気性が良好であるサンダルであっても、上記底面２に足裏をしばらく接触させていれば上記と同様に暖まりすぎることもあり得るため、踵裏直近部を含む踵裏近傍にのみアルファ・シート２２が設けられたサンダル１０は、足裏全体が発汗しないため履き心地や快適感が増大するという上記と同様の効果を有する。このように、保温効果および保湿効果を有するタイタニューム・アルファ・シート２２は、足裏を暖めすぎることがある。そのため、ほぼ密閉された空間に足を入れる靴などとは異なり、通気性が良好であるサンダルは、タイタニューム・アルファ・シート２２を底部に設けるのに好適である。
【００２６】
ここで、上記タイタニューム・アルファ・シート２２の厚さは、例えば数ミリの十分の一程度であっても十分に上記保温効果および保湿効果を得ることができる。しかし、当該厚さが数ミリ〜１０ミリ（ないし数十ミリ）程度であれば、足裏のみならず足裏周縁近傍の足側面にも接触するためさらに広い範囲に上記保温効果および保湿効果が得られる。すなわち、数ミリ〜１０ミリ（ないし数十ミリ）程度の厚さを有するタイタニューム・アルファ・シート２２は、足裏で踏まれることにより数ミリの十分の一程度の厚さに圧縮される。しかし、タイタニューム・アルファ・シート２２は、足裏で踏まれるべき部分よりもやや大きいため、足裏で踏まれていない部分は圧縮されることなく、依然として数ミリ〜１０ミリ（ないし数十ミリ）程度の厚さである。そのため、タイタニューム・アルファ・シート２２の足裏で踏まれていない部分から踏まれている部分までが、足裏および足裏周縁近傍の足側面を包み込むように接触することになる。したがって、数ミリ〜１０ミリ（ないし数十ミリ）程度の厚さを有するタイタニューム・アルファ・シート２２は、足裏のみならず足裏周縁近傍の足側面に対しても保温効果および保湿効果が発揮されることにより当該部分の皮膚の角質化が防止され、当該皮膚が健康となる健康増進機能が得られる。
【００２７】
また、数ミリ〜１０ミリ（ないし数十ミリ）程度の厚さを有するタイタニューム・アルファ・シート２２は、通常の状態では踏みつけられることにより圧縮されたとしても元の形状に復帰する（すなわち弾性変形する）が、例えば数ヶ月間にわたり何度も踏みつけられる状態が継続すると、踏みつけられることにより圧縮された形状に近い形状に変形し元の形状に復帰しない状態となる（すなわち塑性変形する）。このように踏みつけられ続けることにより、タイタニューム・アルファ・シート２２に（はサンダル１０を履く人の）足の形に近い凹部が形成される。このことにより、サンダル１０は当該足にフィットする状態になるため、フィット感または履き心地が向上する。
【００２８】
＜３．効果＞
以上のように、本発明の一実施形態に係る履物としてのサンダル１０は、底部２の全部または所定部分に、足裏から放出される水分により保湿可能な水分非透過性を有しかつ体温により保温可能な断熱性を有するタイタニューム・アルファ・シート２２が設けられる。この構成により、サンダル１０を履く人の足裏部分が乾燥して角質化することがなくまた保温効果により柔らかくなるため、当該部分の皮膚が健康となる健康増進機能が得られる。
【００２９】
また、本発明の一実施形態におけるタイタニューム・アルファ・シート２２は、ラバー材の表面にチタン合金がコーティングされて形成される所定の層構造を有する。このことにより、高い保温性と保湿性とを得ることができ、さらにチタン合金が有する帯電防止機能や生体電気の流れを良くする機能により、サンダル１０は帯電が防止されると共に、生体電気の流れをよくする健康増進機能も有することになる。また、チタン合金膜は遮光性を有するため、ラバー２２３の色合いに影響されることなく鮮やかな着色を施すことができる。そのため、サンダル１０（の底部２）をよりファッショナブルに着色することができる。
【００３０】
さらに、本発明の一実施形態におけるタイタニューム・アルファ・シート２２は、数ミリ〜１０ミリ（ないし数十ミリ）程度の厚さを有する場合には、足裏で踏まれることにより足裏の所定部分近傍を被うべき凹部が形成される。このため、足裏のみならず足裏周縁近傍の足側面に対しても保温効果および保湿効果が発揮されることにより当該部分の皮膚の角質化が防止され、当該皮膚が健康となる健康増進機能が得られる。また、上記の厚さを有する場合には、例えば数ヶ月間にわたり何度も踏みつけられる状態が継続すると、塑性変形することによりサンダル１０を履く人の足の形に近い凹部が形成される。このことにより、サンダル１０は当該足にフィットする状態になるため、フィット感または履き心地が向上する。
【００３１】
また、本発明の一実施形態の一構成例では、タイタニューム・アルファ・シート２２は、足の踵により踏まれるべき底部２の所定部分近傍と、足の指により踏まれるべき底部２の所定部分近傍との一方または双方にのみ設けられる。この構成により足裏の上記部分が乾燥して角質化することなく健康増進機能が得られると共に、足裏全体が発汗しないため履き心地や快適感が増大する。
【００３２】
さらにまた、本発明の一実施形態におけるサンダル１０は、ほぼ密閉された空間に足を入れる靴などに比べ極めて通気性が良好である。そのため、保温効果および保湿効果を有することにより足裏を暖めすぎることがあるタイタニューム・アルファ・シート２２であっても、通気性が良好であるサンダル１０の底部に設けられば足を暖めすぎることはなく、さらに履き心地や快適感が増大する効果が得られる。
【００３３】
＜４．変形例＞
本発明の一実施形態では、保湿効果および保温効果を発揮させる部材としてタイタニューム・アルファ・シート２２が例示されているが、保湿効果および保温効果を有する部材であれば、その材質に限定はない。また、タイタニューム・アルファ・シート２２はラバー材の表面にチタン合金がコーティングされる構造であるが、必ずしもラバー材にコーティングされる必要はなく、合成樹脂やその他の材料であってもよい。また、必ずしもチタン合金である必要はなく、その他の金属膜であってもよい。
【００３４】
なお、本発明の一実施形態では、サンダルが例示されているが、靴、スリッパ、下駄、またはブーツなど、どのような履き物であってもよい。これらの履物では、タイタニューム・アルファ・シート２２は、足甲に接触させるように甲被３の裏側に設けられてよいし、踵側面周囲や足首近傍に接触させるように設けられてもよい。また、靴に内挿される中敷きであってもよい。中敷きの場合には、足裏が接すべき上面側の内装シート２１と下側の内装シート２１との間にタイタニューム・アルファ・シート２２が挟まれる構成となるが、これらの内装シート２１は省略されてもよい。
【図面の簡単な説明】
【図１】  本発明の一実施形態に係るサンダルの構成を示す斜視図である。
【図２】  上記一実施形態におけるタイタニューム・アルファ・シートの層構造を示す模式的な断面図である。
【図３】  上記一実施形態に係るサンダルの底面の一例を示す平面図である。
【図４】  上記一実施形態に係るサンダルの底面の別例を示す平面図である。
【図５】  上記一実施形態に係るサンダルの底面のさらなる別例を示す平面図である。
【符号の説明】
２    …底部
３    …甲被部
４    …基底部
１０  …サンダル
２１  …内装シート
２２  …タイタニューム・アルファ・シート
【図１】
0003778892.tif 000002
【図２】
0003778892.tif 000003
【図３】
0003778892.tif 000004
【図４】
0003778892.tif 000005
【図５】
0003778892.tif 000006